(57)【特許請求の範囲】
【請求項１】
入力端子および端末端子を有する受信設備を検査する検査システムであって、
前記受信設備を検査する場合に前記入力端子および前記端末端子にそれぞれ接続される送信機および受信機を備え、
前記送信機は、設定された第１の信号レベルおよび設定された周波数を有し、前記第１の信号レベルを示す情報が重畳されたテスト信号を前記入力端子に出力し、
前記テスト信号の前記第１の信号レベルは前記受信設備の伝送損失によって第２の信号レベルに低下し、
前記受信機は、前記端末端子から前記テスト信号を受け、受けた前記テスト信号の前記第２の信号レベルを検出するとともに、受信した前記テスト信号から前記第１の信号レベルを示す情報を抽出し、
前記送信機は、
前記第１の信号レベルおよび前記周波数の各々を設定するための操作部と、
前記操作部を用いて設定された前記周波数の信号に前記操作部を用いて設定された前記第１の信号レベルを示す情報を重畳させる信号発生部と、
前記信号発生部によって生成された信号を増幅して、前記操作部を用いて設定された前記第１の信号レベルを有する前記テスト信号を生成する増幅部とを含み、
前記受信機は、
前記端末端子から受けた前記テスト信号から前記第１の信号レベルを示す情報を抽出する復調器と、
前記端末端子から受けた前記テスト信号の前記第２の信号レベルを検出し、検出した前記第２の信号レベルと前記復調器によって抽出された前記第１の信号レベルを示す情報とに基づいて、前記伝送損失を求める制御部と、
前記制御部によって求められた前記伝送損失を表示する画像表示部とを含む、検査システム。
【請求項２】
前記画像表示部は、さらに、前記制御部によって検出された前記第２の信号レベルを表示する、請求項１に記載の検査システム。
【請求項３】
前記受信設備は衛星放送を受信する設備であり、
前記受信設備の検査後には、前記入力端子はアンテナに接続され、前記端末端子はテレビ受信機に接続される、請求項１または２に記載の検査システム。
【請求項４】
前記受信設備は、前記入力端子および前記端末端子間に接続され、前記入力端子からの信号を増幅するブースターを含む、請求項１から請求項３のいずれか１項に記載の検査システム。
【請求項５】
前記受信設備は４Ｋテレビ放送および８Ｋテレビ放送のうちの少なくともいずれか一方のテレビ放送を受信する設備であり、
前記テスト信号の周波数は３２２４ＭＨｚに設定可能になっている、請求項１から請求項４のいずれか１項に記載の検査システム。
【発明の詳細な説明】
【技術分野】
【０００１】
この発明は検査システムに関し、特に、衛星放送を受信する受信設備を検査する検査システムに関する。
【背景技術】
【０００２】
特許文献１には、受信設備を検査する場合に受信設備の入力端子および端末端子にそれぞれ接続される送信機および受信機を備えた検査システムが開示されている。送信機は、設定された周波数および既知の信号レベルを有するテスト信号を入力端子に出力する。受信機は、端末端子からテスト信号を受け、受けたテスト信号の信号レベルと複数段階の基準レベルとを比較して受信設備の伝送損失を求める。
【先行技術文献】
【特許文献】
【０００３】
【特許文献１】特開２０１１−１９９７６８号公報
【発明の概要】
【発明が解決しようとする課題】
【０００４】
しかし、特許文献１では、テスト信号の信号レベルを変更する場合には、送信機側でテスト信号の信号レベルを変更するだけでなく、受信機側で複数段階の基準レベルを変更する必要があり、テスト信号の信号レベルの変更に伴う手間が大きいという問題があった。
【０００５】
それゆえに、この発明の主たる目的は、テスト信号の信号レベルを容易に変更することが可能な検査システムを提供することである。
【課題を解決するための手段】
【０００６】
この発明に係る検査システムは、入力端子および端末端子を有する受信設備を検査する検査システムであって、受信設備を検査する場合に入力端子および端末端子にそれぞれ接続される送信機および受信機を備えたものである。送信機は、設定された第１の信号レベルおよび設定された周波数を有し、第１の信号レベルを示す情報が重畳されたテスト信号を入力端子に出力する。テスト信号の第１の信号レベルは受信設備の伝送損失によって第２の信号レベルに低下する。受信機は、端末端子からテスト信号を受け、受けたテスト信号の第２の信号レベルを検出するとともに、受信したテスト信号から第１の信号レベルを示す情報を抽出する。
【発明の効果】
【０００７】
この発明に係る検査システムでは、送信機側では、設定された第１の信号レベルを示す情報をテスト信号に重畳して受信設備の入力端子に出力し、受信機側では、端末端子から受けたテスト信号の第２の信号レベルを検出するとともに、第１の信号レベルを示す情報をテスト信号から抽出する。したがって、テスト信号の第１の信号レベルを変更する場合には、送信機側でのみ第１の信号レベルを変更すればよいので、テスト信号の信号レベルを容易に変更することができる。
【図面の簡単な説明】
【０００８】
【図１】本願の検査システムの検査対象となる受信設備の構成を例示する回路ブロック図である。
【図２】この発明の一実施の形態による検査システムの構成を示す回路ブロック図である。
【図３】図２に示した送信機の構成を示す正面図である。
【図４】図３に示した送信機の構成を示す回路ブロック図である。
【図５】図２に示した受信機の構成を示す正面図である。
【図６】図５に示した受信機の構成を示す回路ブロック図である。
【図７】図６に示したチューナーＩＣの構成を示す回路ブロック図である。
【発明を実施するための形態】
【０００９】
近年、現行のテレビ放送よりも映像の解像度が高い４Ｋテレビ放送および８Ｋテレビ放送（以下、４Ｋ・８Ｋテレビ放送と称する）の実施が計画されている。４Ｋ・８Ｋテレビ放送では、現行のテレビ放送の周波数帯域（１０３２ＭＨｚ〜２０７１ＭＨｚ）の電波が使用される可能性もあるが、周波数帯域が拡張され、現行の周波数帯域よりも高い周波数帯域（２２２４〜３２２４ＭＨｚ）の電波が使用される可能性がある。
【００１０】
周波数帯域が拡張された場合、現行の受信設備で４Ｋ・８Ｋテレビ放送を受信すると、大きな伝送損失が受信設備で発生し、端末端子で所望の信号レベルの高周波信号を受信することができなくなる。したがって、４Ｋ・８Ｋテレビ放送を受信するためには、高い周波数帯域（２２２４〜３２２４ＭＨｚ）における伝送損失が小さな新たな受信設備を設置する必要がある。
【００１１】
４Ｋ・８Ｋテレビ放送の開始時期が決定された場合、その開始と同時に４Ｋ・８Ｋテレビ放送を受信するためには、その開始よりも前に新たな受信設備を設置しておく必要がある。しかし、新たな受信設備を設置した時点では、まだ４Ｋ・８Ｋテレビ放送の電波が送信されていないので、端末端子に所望の信号レベルの高周波信号が到達するかどうかを検査することができないという問題がある。本実施の形態では、この問題の解決が図られる。
【００１２】
図１は、４Ｋ・８Ｋテレビ放送を受信するための受信設備１の構成を例示する回路ブロック図である。図１において、受信設備１は、たとえば集合住宅に設置され、入力端子２、ブースター３、分配器４、同軸ケーブル５，７、分岐器６、および端末端子８を備える。
【００１３】
入力端子２は、４Ｋ・８Ｋテレビ放送用のアンテナ９に接続される。アンテナ９は、放送衛星(図示せず)からの４Ｋ・８Ｋテレビ放送用の電波を受信する。ブースター３は、アンテナ９からの高周波信号を所定の利得（たとえば３０ｄＢ）で増幅して分配器４の入力端子に出力する。
【００１４】
分配器４は、ブースター３から入力端子に与えられた高周波信号を複数の出力端子に分配する。分配器４の複数の出力端子は、たとえば集合住宅に含まれる複数の住宅にそれぞれ対応している。分配器４の各出力端子から出力される高周波信号は、同軸ケーブル５を介して対応する住宅内の分岐器６の入力端子に与えられる。
【００１５】
分岐器６は、分配器４から入力端子に与えられた高周波信号を複数の出力端子に分配する。分岐器６の複数の出力端子は、たとえば住宅内の複数の部屋にそれぞれ対応している。分岐器６の各出力端子から出力される高周波信号は、同軸ケーブル７を介して対応する部屋の端末端子８に供給される。端末端子８は、４Ｋテレビ放送用または８Ｋテレビ放送用のテレビ受信機１０に接続される。テレビ受信機１０は、４Ｋテレビ放送または８Ｋテレビ放送の映像を表示する。
【００１６】
上述したように、４Ｋ・８Ｋテレビ放送の開始と同時に４Ｋ・８Ｋテレビ放送を受信するためには、その開始よりも前に新たな受信設備１を設置し、未だ４Ｋ・８Ｋテレビ放送の電波を受信できない状況で受信設備１を検査する必要がある。
【００１７】
図２は、この発明の一実施の形態による検査システムの構成を示すブロック図である。図２において、この検査システムは、受信設備１を検査するシステムであって、送信機１１および受信機１２を備える。
【００１８】
受信設備１を検査するときには、受信設備１の入力端子２はアンテナ９の代わりに送信機１１の出力端子１１ａに接続され、端末端子８はテレビ受信機１０の代わりに受信機１２の入力端子１２ａに接続される。
【００１９】
送信機１１は、設定された周波数（たとえば３２２４ＭＨｚ）および設定された信号レベル（たとえば７０ｄＢμＶ）を有するとともに、当該設定された信号レベル（この場合は７０ｄＢμＶ）を示す情報が重畳されたテスト信号ＴＳを入力端子２に出力する。テスト信号ＴＳは、上記の設定された周波数を有する高周波信号を、上記の設定された信号レベルを示す情報を用いてたとえばＦＳＫ（Frequency  Shift  Keying）変調し、設定された信号レベルに増幅したものである。変調方式は、ＦＳＫ方式以外のどのような方式でもよい。
【００２０】
送信機１１から受信設備１に入力されたテスト信号ＴＳは、ブースター３によって所定の利得（たとえば３０ｄＢ）で増幅される。送信機１１から出力された７０ｄＢμＶのテスト信号ＴＳは、ブースター３によって１００ｄＢμＶに増幅されて分配器４の入力端子に与えられる。分配器４の複数の出力端子のうちの検査対象の出力端子から出力されたテスト信号ＴＳは、同軸ケーブル５、分岐器６、同軸ケーブル７、および端末端子８を介して受信機１２に供給される。
【００２１】
分配器４、同軸ケーブル５、分岐器６、同軸ケーブル７、および端末端子８において、それぞれ−１５ｄＢ、−２ｄＢ、−８ｄＢ、−２ｄＢ、および−８ｄＢの伝送損失が発生したとすると、受信機１２には１００−３５＝６５ｄＢμＶのテスト信号ＴＳが供給される。
【００２２】
受信機１２は、受信したテスト信号ＴＳの信号レベル（この場合は６５ｄＢμＶ）を検出するとともに、テスト信号ＴＳを復調することにより、送信機１１で設定された信号レベル（この場合は７０ｄＢμＶ）を示す情報をテスト信号ＴＳから抽出する。受信機１２は、受信したテスト信号ＴＳの信号レベル（この場合は６５ｄＢμＶ）から、送信機１１から送信されたテスト信号ＴＳの信号レベル（この場合は７０ｄＢμＶ）を減算して受信設備１の伝送損失（この場合は−５ｄＢ）を求める。受信機１２は、受信したテスト信号ＴＳの信号レベル（この場合は６５ｄＢμＶ）と、受信設備１の伝送損失（この場合は−５ｄＢ）を画像表示部に表示する。
【００２３】
アンテナ９から入力端子２に７０ｄＢμＶの高周波信号が供給された場合に、端末端子８における高周波信号の信号レベルが許容範囲（たとえば５７〜８１ｄＢμＶ）内であれば、受信設備１の検査結果は「良好」となる。上述の例では、端末端子８におけるテスト信号ＴＳの信号レベル（６５ｄＢμＶ）が許容範囲（たとえば５７〜８１ｄＢμＶ）内であるので、受信設備１の検査結果は「良好」となる。この場合は、４Ｋ・８Ｋテレビ放送が開始されると同時に、４Ｋ・８Ｋテレビ放送をテレビ受信機１０で視聴することができる。
【００２４】
もし、端末端子８におけるテスト信号ＴＳの信号レベルが許容範囲（たとえば５７〜８１ｄＢμＶ）よりも小さい場合は、受信設備１の検査結果は「不良」となる。この場合は、受信設備１をチェックし、たとえば旧型の分配器４が誤って使用されていた場合は、分配器４を４Ｋ・８Ｋテレビ放送用の製品と交換する。または、ブースター３を利得の大きなブースターと交換する。
【００２５】
もし、端末端子８におけるテスト信号ＴＳの信号レベルが許容範囲（たとえば５７〜８１ｄＢμＶ）よりも大きい場合は、受信設備１の検査結果は「不良」となる。この場合は、たとえばブースター３を利得の小さなブースターと交換するか、ブースター３を除去する。その後、上述の要領で再度検査し、端末端子８におけるテスト信号ＴＳの信号レベルが許容範囲（たとえば５７〜８１ｄＢμＶ）内であれば、受信設備１の検査結果は「良好」となり、４Ｋ・８Ｋテレビ放送を受信する用意が整ったこととなる。
【００２６】
図３は、図２に示した送信機１１の構成を示す正面図である。図３において、送信機１１は、本体部２０と、本体部２０の上端に設けられた出力端子１１ａと、本体部２０の正面の上部に設けられた画像表示部２１と、本体部２０の正面の中央部に設けられた操作部２２とを備える。
【００２７】
出力端子１１ａは、同軸ケーブルを介して検査対象の受信設備１の入力端子２に接続される。画像表示部２１はＬＣＤ（Liquid  Crystal  Display）を含み、その画面には設定された周波数（ＭＨｚ）、設定された信号レベル（ｄＢμＶ）などが表示される。操作部２２は、５個のボタンＢ１〜Ｂ５および十字キーＫ１を含む。十字キーＫ１の四隅に４つのボタンＢ１〜Ｂ４が配置され、十字キーＫ１の中央の孔に１つのボタンＢ５が配置されている。本体部２０内には、後述する制御部などが収容されている。本体部２０の下端部には、送信機１１の電源となるバッテリが収容される。
【００２８】
送信機１１の使用者は、本体部２０の下部を一方の手で握り、画像表示部２１を見ながら、他方の手で操作部２２を操作してテスト信号ＴＳの周波数および信号レベルを設定し、テスト信号ＴＳを送信する。
【００２９】
すなわち、電源ボタンＢ２を長押しすると、電源がオンされ、内蔵の制御部などが初期化される。電源がオンされているときに電源ボタンＢ２を長押しすると、電源がオフされる。電源オン中にモードボタンＢ１を押すと、一度押す度に周波数モードとチャンネルモードが切り換えられ、画像表示部２１の画面においてモードを示す文字が点滅する。たとえば、周波数の文字が点滅しているときに決定ボタンＢ５を押すと、画像表示部２１の画面において周波数の文字が点灯し、周波数モードが決定される。チャンネルの文字が点滅しているときに決定ボタンＢ５を押すと、画像表示部２１の画面においてチャンネルの文字が点灯し、チャンネルモードが決定される。
【００３０】
周波数モード時に、十字キーＫ１の上端部（または右端部）を押すと周波数が増大し、十字キーＫ１の下端部（または左端部）を押すと周波数が減少する。たとえば、画像表示部２１の画面において３２２４ＭＨｚの文字が点滅しているときに決定ボタンＢ５を押すと、３２２４ＭＨｚの文字が点灯して３２２４ＭＨｚの選択が決定される。
【００３１】
チャンネルモード時に、十字キーＫ１の上端部（または右端部）を押すとチャンネル番号が増大し、十字キーＫ１の下端部（または左端部）を押すとチャンネル番号が減少する。たとえば、画像表示部２１の画面においてＸｃｈ（ただし、Ｘは正の整数である）の文字が点滅しているときに決定ボタンＢ５を押すと、Ｘｃｈの文字が点灯してＸｃｈの選択が決定される。Ｘｃｈは、４Ｋ・８Ｋテレビ放送において最も高い周波数帯域を用いて放送されるチャンネルである。
【００３２】
信号レベル設定ボタンＢ３を押すと、画像表示部２１の画面において信号レベルを示す文字が点滅する。信号レベルの文字が点滅しているときに決定ボタンＢ５を押すと、画像表示部２１の画面において信号レベルの文字が点灯し、信号レベルの設定が可能となる。十字キーＫ１の上端部（または右端部）を押すと信号レベルが増大し、十字キーＫ１の下端部（または左端部）を押すと信号レベルが減少する。
【００３３】
周波数を設定した後に、所望の信号レベル（たとえば７０ｄＢμＶ）の文字が点滅しているときに決定ボタンＢ５を押すと、設定された周波数（たとえば３２２４ＭＨｚ）および設定された信号レベル（７０ｄＢμＶ）を有し、設定された信号レベル（７０ｄＢμＶ）を示す情報が重畳されたテスト信号ＴＳが出力端子１１ａから出力される。
【００３４】
チャンネルを設定した後に、所望の信号レベル（たとえば７０ｄＢμＶ）の文字が点滅しているときに決定ボタンＢ５を押すと、たとえば、設定されたチャンネル（たとえばＸｃｈ）の周波数および設定された信号レベル（７０ｄＢμＶ）を有し、設定された信号レベル（７０ｄＢμＶ）を示す情報が重畳されたテスト信号ＴＳが出力端子１１ａから出力される。
【００３５】
図４は、送信機１１の構成を示す回路ブロック図である。図４において、送信機１１は、画像表示部２１、操作部２２、制御部２３、メモリ２４、ＰＬＬ(Phase  Locked  Loop)／ＦＳＫ変調部２５、水晶発振器２６、電圧制御発振器（ＶＣＯ：Voltage  Controlled  Oscillator）２７、増幅器２８，３４、スイッチ２９，３３、帯域通過フィルタ（ＢＰＦ：Band  Pass  Filter）３０〜３２、分岐器３５、コンデンサ３６、リアクトル３７、レベルモニタ３８、レベル制御部３９、および出力端子１１ａを含む。
【００３６】
操作部２２は、５個のボタンＢ１〜Ｂ５および十字キーＫ１の操作結果を示す信号を出力する。制御部２３は、操作部２２からの信号に従って送信機１１全体を制御する。制御部２３は、操作部２２を用いて設定された周波数および設定された信号レベルを、メモリ２４に記憶させ、画像表示部２１に表示させるとともに、ＰＬＬ／ＦＳＫ変調部２５に与える。操作部２２を用いて設定された周波数は、周波数モードで設定された周波数と、チャンネルモードで設定されたチャンネルの周波数とを含むものとする。
【００３７】
水晶発振器２６は、たとえば温度補償型の発振器であり、基準周波数のクロック信号を生成する。ＰＬＬ／ＦＳＫ変調部２５は、水晶発振器２６からのクロック信号に同期して動作し、制御電圧を生成して電圧制御発振器２７に与える。ＰＬＬ／ＦＳＫ変調部２５は、設定された周波数に応じて制御電圧のレベルを設定する。さらにＰＬＬ／ＦＳＫ変調部２５は、設定された信号レベルに応じて制御電圧を変調させることにより、設定された信号レベルを示す情報を制御電圧に重畳させる。したがって、制御電圧は、設定された周波数を示す情報と、設定された信号レベルを示す情報とを含む。
【００３８】
電圧制御発振器２７は、制御電圧に応じた周波数の高周波信号を出力する。増幅器２８は、電圧制御発振器２７からの高周波信号を増幅する。増幅器２８によって増幅された高周波信号は、スイッチ２９に与えられるとともに、ＰＬＬ／ＦＳＫ変調部２５にフィードバックされる。ＰＬＬ／ＦＳＫ変調部２５は、フィードバックされた高周波信号の位相と、基準周波数のクロック信号の位相とが一致するように制御電圧を調整する。
【００３９】
スイッチ２９，３３は、制御部２３によって制御され、３つの帯域通過フィルタ３０〜３２のうちのテスト信号ＴＳの周波数に応じて選択された帯域通過フィルタを増幅器２８，３４間に接続する。選択された帯域通過フィルタは、増幅器２８からの高周波信号のうちの不要な周波数成分を除去する。スイッチ２９、選択された帯域通過フィルタ、およびスイッチ３３を通過した高周波信号は、増幅器３４に与えられる。
【００４０】
増幅器３４の利得は、制御可能になっており、レベル制御部３９によって制御される。増幅器３４は、スイッチ３３からの高周波信号を、レベル制御部３９によって制御される利得で増幅する。分岐器３５は、増幅器３４からの高周波信号をテスト信号ＴＳおよびモニタ信号に分割する。テスト信号ＴＳは、コンデンサ３６を介して出力端子１１ａに与えられる。モニタ信号は、レベルモニタ３８に与えられる。
【００４１】
コンデンサ３６は、直流電圧を遮断するために設けられている。リアクトル３７は、出力端子１１ａと制御部２３との間に接続され、高周波信号を遮断し、直流電圧を通過させる。リアクトル３７は、たとえば、端末端子８から入力端子２に直流電圧を供給することが可能か否かを検査するために設けられている。受信設備１の端末端子８に印加した直流電圧が入力端子２、出力端子１１ａ、およびリアクトル３７を介して制御部２３に伝達される場合は、制御部２３は端末端子８から入力端子２に直流電圧を供給することが可能である、と判定する。
【００４２】
レベルモニタ３８は、分岐器３５からのモニタ信号の信号レベルを検出し、その検出値を示す信号を制御部２３に与える。制御部２３は、レベルモニタ３８によって検出された信号レベルが、設定された信号レベルに応じたレベルになるように制御信号を生成する。レベル制御部３９は、制御部２３からの制御信号に従って増幅器３４の利得を制御する。このようにして、設定された信号レベルおよび設定された周波数を有し、設定された信号レベルを示す情報が重畳されたテスト信号ＴＳが生成される。
【００４３】
図５は、図２に示した受信機１２の構成を示す正面図である。図５において、受信機１２は、本体部５０と、本体部５０の上端に設けられた入力端子１２ａと、本体部５０の正面の上部に設けられた画像表示部５１と、本体部５０の正面の中央部に設けられた操作部５２とを備える。
【００４４】
入力端子１２ａは、同軸ケーブルを介して検査対象の受信設備１の端末端子８に接続される。画像表示部５１はＬＣＤを含み、その画面には設定された周波数（ＭＨｚ）、受信したテスト信号ＴＳの信号レベル（ｄＢμＶ）、伝送損失（ｄＢ）などが表示される。操作部５２は、５個のボタンＢ１１〜Ｂ１５および十字キーＫ１１を含む。十字キーＫ１１の四隅に４つのボタンＢ１１〜Ｂ１４が配置され、十字キーＫ１１の中央の孔に１つのボタンＢ１５が配置されている。本体部５０内には、後述する制御部などが収容されている。本体部５０の下端部には、受信機１２の電源となるバッテリが収容される。
【００４５】
受信機１２の使用者は、本体部５０の下部を一方の手で握り、画像表示部５１を見ながら、他方の手で操作部５２を操作してテスト信号ＴＳの周波数などを設定し、テスト信号ＴＳを受信する。
【００４６】
すなわち、電源ボタンＢ１２を長押しすると、電源がオンされ、内蔵の制御部などが初期化される。電源がオンされているときに電源ボタンＢ１２を長押しすると、電源がオフされる。電源オン中にモードボタンＢ１１を押すと、一度押す度に周波数モードとチャンネルモードと伝送テストモードが順に切り換えられ、画像表示部５１の画面においてモードを示す文字が点滅する。
【００４７】
たとえば、周波数の文字が点滅しているときに決定ボタンＢ１５を押すと、画像表示部５１の画面において周波数の文字が点灯し、周波数モードが決定される。周波数モード時に、十字キーＫ１１の上端部（または右端部）を押すと周波数が増大し、十字キーＫ１１の下端部（または左端部）を押すと周波数が減少する。たとえば、画像表示部５１の画面において３２２４ＭＨｚの文字が点滅しているときに決定ボタンＢ１５を押すと、３２２４ＭＨｚの文字が点灯して３２２４ＭＨｚの選択が決定される。
【００４８】
チャンネルの文字が点滅しているときに決定ボタンＢ１５を押すと、画像表示部２１の画面においてチャンネルの文字が点灯し、チャンネルモードが決定される。チャンネルモード時に、十字キーＫ１１の上端部（または右端部）を押すとｃｈ番号が増大し、十字キーＫ１１の下端部（または左端部）を押すとｃｈ番号が減少する。たとえば、画像表示部５１の画面においてＸｃｈの文字が点滅しているときに決定ボタンＢ１５を押すと、１３ｃｈの文字が点灯してＸｃｈの選択が決定される。
【００４９】
伝送テストの文字が点滅しているときに決定ボタンＢ１５を押すと、画像表示部２１の画面において伝送テストの文字が点灯し、伝送テストモードが決定され、受信したテスト信号ＴＳの信号レベルと、検出した伝送損失とが画像表示部５１の画面に表示される。
【００５０】
なお、十字キーＫ１１の左端部を押すことにより信号品質を切換えたり、十字キーＫ１１の右端部を押すことにより音量を切換えることが可能となっている。ボタンＢ１３を押すことにより検出結果を記憶したり、ボタンＢ１４を押すことにより電圧を測定することが可能となっている。
【００５１】
図６は、受信機１２の構成を示す回路ブロック図である。図６において、受信機１２の本体部５０内には、コンデンサ５３、チューナーＩＣ５４、復調器５５、発振器５６、および制御部５７が収容されている。
【００５２】
送信機１１から受信設備１を介して入力端子１２ａに与えられたテスト信号ＴＳは、コンデンサ５３を介してチューナーＩＣ５４に与えられる。コンデンサ５３は、直流電圧を遮断するために設けられている。チューナーＩＣ５４は、図７に示すように、増幅器６０、局部発振器６１、ミキサ回路６２、帯域通過フィルタ６３、および制御信号生成部６４を含む。
【００５３】
増幅器６０は、復調器５５からの自動利得制御信号ＡＧＣに応じた利得でテスト信号ＴＳを増幅する。局部発振器６１は、制御信号生成部６４からの制御信号ＣＮＴ１に応じた周波数の局部発振信号を生成する。ミキサ回路６２は、増幅器６０からのテスト信号ＴＳと局部発振器６１からの局部発振信号とを混合して中間周波信号ＩＦを生成する。これにより、操作部５２によって選択された周波数のテスト信号ＴＳが所定の周波数帯域の中間周波信号ＩＦに変換される。操作部５２によって選択された周波数は、操作部５２によって選択されたチャンネルの周波数を含むものとする。
【００５４】
帯域通過フィルタ６３の帯域幅は、所望の周波数の幅に変更可能になっており、制御信号生成部６４からの制御信号ＣＮＴ２によって設定される。帯域通過フィルタ６３は、上記所定の周波数帯域の中間周波信号ＩＦのうちの設定された周波数の幅の信号成分のみを通過させる。
【００５５】
制御信号生成部６４は、復調器５５から供給されるクロック信号ＳＣＬおよびデータ信号ＳＣＡに基づいて制御信号ＣＮＴ１，ＣＮＴ２を生成する。制御信号ＣＮＴ１，ＣＮＴ２は、それぞれ局部発振器６１および帯域通過フィルタ６３に供給される。たとえば、操作部５２を用いて３２２４ＭＨｚが設定された場合は、３２２４ＭＨｚのテスト信号ＴＳが所定の周波数帯域の中間周波信号ＩＦに変換され、その中間周波信号ＩＦのうちの設定された周波数幅の帯域の信号成分のみが帯域通過フィルタ６３を通過する。
【００５６】
図６に戻って、復調器５５は、発振器５６で生成されるクロック信号に同期して動作する。復調器５５は、クロック信号ＳＣＬおよびデータ信号ＳＣＡをチューナーＩＣ５４に送信し、チューナーＩＣ５４を制御する。また、復調器５５は、チューナーＩＣ５４からの中間周波信号ＩＦの信号レベルが所定の信号レベルになるように自動利得制御信号ＡＧＣを生成してチューナーＩＣ５４にフィードバックするとともに、自動利得制御信号ＡＧＣを制御部５７に与える。
【００５７】
また、復調器５５は、チューナーＩＣ５４からの中間周波信号ＩＦを復調することにより、設定された信号レベルを示す情報を抽出する。復調器５５は、抽出した信号レベルを示す情報などをデータ信号ＳＣＡとして、クロック信号ＳＣＬに同期して制御部５７に供給する。制御部５７は、たとえば、ＣＰＵ(Central Processing Unit)とメモリを含むマイクロコンピュータで構成される。
【００５８】
制御部５７は、操作部５２からの信号に従って、受信機１２全体を制御する。特に、制御部５７は、操作部５２からの信号に従って、クロック信号ＳＣＬおよびデータ信号ＳＣＡを画像表示部５１に送信して画像を表示させる。制御部５７は、復調器５５からの自動利得制御信号ＡＧＣに基づいて、実際に受信したテスト信号ＴＳの信号レベルを検出し、その信号レベルを画像表示部５１に表示させる。
【００５９】
制御部５７は、復調器５５からのデータ信号ＳＣＡに基づいて、送信機１１で設定されたテスト信号ＴＳの信号レベルを検出し、その信号レベルを画像表示部５１に表示させる。制御部５７は、実際に受信したテスト信号ＴＳの信号レベルと、送信機１１で設定されたテスト信号ＴＳの信号レベルとに基づいて、受信設備１の伝送損失を求め、求めた伝送損失を画像表示部５１に表示させる。
【００６０】
以上のように、この実施の形態では、受信設備１の入力端子２に送信機１１を接続するとともに、端末端子８に受信機１２を接続し、送信機１１から４Ｋ・８Ｋテレビ放送で用いられる周波数のテスト信号ＴＳを送信し、受信機１２でテスト信号ＴＳの信号レベルを検出する。したがって、未だ４Ｋ・８Ｋテレビ放送が実施されていない場合でも、受信設備１によって４Ｋ・８Ｋテレビ放送を受信可能か否かを判定することができる。
【００６１】
本実施の形態の検査システムを用いて受信設備１を検査した結果、受信機１２で受信したテスト信号ＴＳの信号レベルが所望の信号レベルよりも低い場合は、分配器４、分岐器６などに２Ｋテレビ放送用の製品が誤って使用されている可能性があるので、分配器４、分岐器６などが４Ｋ・８Ｋテレビ放送用であるか否かを確認するとよい。
【００６２】
既存の受信設備を４Ｋ・８Ｋテレビ放送用にリニューアルする場合は、本実施の形態の検査システムを用いて受信設備１を検査することにより、既存の同軸ケーブルが使用可能であるか否かを確認することができる。さらに、本実施の形態の検査システムを用いて受信設備１を検査することにより、ブースター３が必要か否か、ブースター３を高利得のブースターまたは低利得のブースターと交換した方がよいかどうかを判定することができる。
【００６３】
しかも、設定された信号レベルを示す情報をテスト信号ＴＳに重畳させて送信し、受信側では信号レベルを示す情報をテスト信号から抽出するので、テスト信号ＴＳの信号レベルを変更する場合には、送信機１１側で信号レベルを変更すれば足り、受信機１２側で信号レベルを変更する必要がない。したがって、テスト信号ＴＳの信号レベルを容易に変更することができる。
【００６４】
なお、この実施の形態では、受信したテスト信号ＴＳの信号レベルと、検査した受信設備１の伝送損失とを受信機１２の画像表示部５１に表示したが、これに限るものではなく、伝送損失の代わりに、テスト信号ＴＳから抽出した情報によって示される信号レベルを画像表示部５１に表示してもよい。また、受信したテスト信号ＴＳの信号レベルと、検査した受信設備１の伝送損失と、テスト信号ＴＳから抽出した情報によって示される信号レベルとを画像表示部５１に表示してもよい。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  受信設備、２  入力端子、３  ブースター、４  分配器、５，７  同軸ケーブル、６，３５  分岐器、８  端末端子、９  アンテナ、１０  テレビ受信機、１１  送信機、１１ａ  出力端子、１２  受信機、１２ａ  入力端子、２０，５０  本体部、２１，５１  画像表示部、２２，５２  操作部、Ｂ１〜Ｂ５，Ｂ１１〜Ｂ１５  ボタン、Ｋ１，Ｋ１１  十字キー、２３，５７  制御部、２４  メモリ、２５  ＰＬＬ／ＦＳＫ変調部、２６  水晶発振器、２７  電圧制御発振器、２８，３４，６０  増幅器、２９，３３  スイッチ、３０〜３２，６３  帯域通過フィルタ、３６，５３  コンデンサ、３７  リアクトル、３８  レベルモニタ、３９  レベル制御部、５４  チューナーＩＣ、５５  復調器、５６  発振器、６１  局部発振器、６２  ミキサ回路、６４  制御信号生成部。
【図１】
0006726999.tif 000002
【図２】
0006726999.tif 000003
【図３】
0006726999.tif 000004
【図４】
0006726999.tif 000005
【図５】
0006726999.tif 000006
【図６】
0006726999.tif 000007
【図７】
0006726999.tif 000008